(57)【要約】【課題】  吹出口から人の指や手が差し込まれて、機内の送風機で怪我などをすることがないように、吹出口にガードワイヤを備えつつ、吹出口の掃除などが簡単に行えるようにする。【解決手段】  空気の吹出方向を上下方向に変更制御する水平ルーバ９と左右方向に変更制御する垂直ルーバ１０とを空気吹出口４に備えてなる空気調和機の室内機１である。そして、空気吹出口４には横方向に立設された複数の垂直ルーバ１０が設けられ、これら複数の垂直ルーバ１０は、その垂直ルーバ１０をそれぞれ貫通する複数のガードワイヤ１３が一体に組付けられると共に空気吹出口４に着脱自在に装着されている構成である。【選択図】  図４
2005265400.tif 000002
【特許請求の範囲】
【請求項１】
熱交換器及び送風機を本体ケース内に有し、吸込口から吸い込んだ室内空気を熱交換器で熱交換させ、その熱交換後の調和空気を空気吹出口から室内へ吹出して室内の空気調和を行うと共に、空気の吹出方向を上下方向に変更制御する水平ルーバと左右方向に変更制御する垂直ルーバとを前記空気吹出口に備えてなる空気調和機の室内機において、
前記空気吹出口には横方向に立設された複数の垂直ルーバが設けられ、これら複数の垂直ルーバは、その垂直ルーバをそれぞれ貫通する複数のガードワイヤが一体に組付けられると共に前記空気吹出口に着脱自在に装着されていることを特徴とする空気調和機の室内機。
【請求項２】
前記複数の垂直ルーバを回動自在に保持した垂直ルーバ取付板が、それの一端に設けられたフック部材により空気吹出口の左右方向の一端に着脱可能に係止され、かつ、他端が空気吹出口の左右方向の他端に係止手段により着脱可能に係止されて、複数の垂直ルーバが空気吹出口に着脱自在に装着される構成としたことを特徴とする請求項１記載の空気調和機の室内機。
【請求項３】
前記ガードワイヤが、左側の複数の垂直ルーバに一体に組付けられた左側ガードワイヤと、右側の複数の垂直ルーバに一体に組付けられた右側ガードワイヤとからなることを特徴とする請求項１に記載の空気調和機の室内機。
【発明の詳細な説明】
【技術分野】
【０００１】
本発明は、空気吹出口に空気の吹出方向を上下方向に変更制御する水平ルーバと、左右方向に変更制御する垂直ルーバとを備えた空気調和機の室内機に関する。
【背景技術】
【０００２】
この種の空気調和機の室内機としては、例えば、図６に示したように、本体ケース２の空気吹出口４に水平ルーバ９と垂直ルーバ１０とを設け、機内に設けた送風機６を運転して本体ケース２の吸込口３から吸込んだ室内空気を、室外機(図示せず)から供給されて機内の熱交換器５の伝熱管５Ａ内を流れる冷媒により、冷却または加熱して吹出口４から吹出し、そして、吹出口４から吹出す調和空気の上下方向の向きを、上下方向に回動可能に設けた水平ルーバ９により変更制御し、また、吹出口４から吹出す調和空気の左右方向の向きを、左右方向に回動可能に設けた複数の垂直ルーバ１０により変更制御するようにした室内機１Ｘが知られている（例えば、特許文献１参照。）。
【０００３】
そして、上記構成の室内機１Ｘにおいては、吹出口４から挿し込まれた指や手が、機内の送風機６に触れて怪我をするような事態を防止するため、垂直ルーバ１０に複数本のガードワイヤ１３を挿通して吹出口４をカバーしている。
【０００４】
また、室内機１Ｘにおいては、ガードワイヤ１３があっても、複数個の垂直ルーバ１０が吹出口４に簡単に装着できるように、複数の垂直ルーバ１０を回動可能に取付板１１に装着し、その取付板１１を介して吹出口４に装着するようにしている。
【０００５】
また、図７に示したように、吹出口４のルーバ台３０に複数の回転軸３１を列設し、その回転軸３１と垂直ルーバ１０の軸受３２とを嵌合して、垂直ルーバ１０を吹出口４に着脱自在に装着するように構成した室内機１Ｙも周知である（例えば、特許文献２参照。）。
【特許文献１】特開平８−２８５３１３号公報
【特許文献２】特開２００１−２２７８１２号公報
【発明の開示】
【発明が解決しようとする課題】
【０００６】
しかし、特許文献１に記載されたように、調和空気の吹出口にガードワイヤを備えた室内機においては、ガードワイヤの端部を吹出口の両側壁に嵌め込んで固定する構造であるため、吹出口の掃除をする際に、ガードワイヤを簡単に取外せるものではなかった。一方、特許文献２に記載された室内機においては、垂直ルーバの着脱を容易に行うことが可能であるが、吹出口をカバーするガードワイヤを備えておらず、安全性に問題があった。
【０００７】
したがって、吹出口から人の指や手が差し込まれて、機内の送風機で怪我などをすることがないように、吹出口にガードワイヤを備えつつ、吹出口の掃除などが簡単に行えるようにする必要があり、それが解決すべき課題となっていた。
【課題を解決するための手段】
【０００８】
請求項１に記載の本発明は、熱交換器及び送風機を本体ケース内に有し、吸込口から吸い込んだ室内空気を熱交換器で熱交換させ、その熱交換後の調和空気を空気吹出口から室内へ吹出して室内の空気調和を行うと共に、空気の吹出方向を上下方向に変更制御する水平ルーバと左右方向に変更制御する垂直ルーバとを前記空気吹出口に備えてなる空気調和機の室内機において、前記空気吹出口には横方向に立設された複数の垂直ルーバが設けられ、これら複数の垂直ルーバは、その垂直ルーバをそれぞれ貫通する複数のガードワイヤが一体に組付けられると共に前記空気吹出口に着脱自在に装着されていることを特徴とする。
【０００９】
請求項２に記載の本発明は、請求項１に記載の空気調和機の室内機において、前記複数の垂直ルーバを回動自在に保持した垂直ルーバ取付板が、それの一端に設けられたフック部材により空気吹出口の左右方向の一端に着脱可能に係止され、かつ、他端が空気吹出口の左右方向の他端に係止手段により着脱可能に係止されて、複数の垂直ルーバが空気吹出口に着脱自在に装着される構成としたことを特徴とする。
【００１０】
請求項３に記載の本発明は、請求項１に記載の空気調和機の室内機において、前記ガードワイヤが、左側の複数の垂直ルーバに一体に組付けられた左側ガードワイヤと、右側の複数の垂直ルーバに一体に組付けられた右側ガードワイヤとからなることを特徴とする。
【発明の効果】
【００１１】
本発明によれば、複数の垂直ルーバが複数のガードワイヤと一体に組付けられて空気吹出口に着脱自在に装着されているので、吹出口から指や手が差し込まれて、機内の送風機によって怪我をする心配が無いのは勿論のこと、ガードワイヤを含む複数の垂直ルーバの着脱が簡単に行えるので、吹出口の掃除などが容易に行える。
【発明を実施するための最良の形態】
【００１２】
本発明の空気調和機の室内機は、熱交換器及び送風機を本体ケース内に有し、吸込口から吸い込んだ室内空気を熱交換器で熱交換させ、その熱交換後の調和空気を空気吹出口から室内へ吹出して室内の空気調和を行うと共に、空気の吹出方向を上下方向に変更制御する水平ルーバと左右方向に変更制御する垂直ルーバとを前記空気吹出口に備えてなる空気調和機の室内機において、前記空気吹出口には横方向に立設された複数の垂直ルーバが設けられ、これら複数の垂直ルーバは、その垂直ルーバをそれぞれ貫通する複数のガードワイヤが一体に組付けられると共に前記空気吹出口に着脱自在に装着されている構成であり、以下に本発明の実施例を記載する。
【実施例１】
【００１３】
以下、本発明の一実施例を図１〜図５に基づいて説明する。室外に設置される図示しない室外機とで分離型の空気調和機を構成する本発明の室内機１は、室外機と図示しない冷媒管を介して接続されて冷媒が室外機と室内機１とを循環するように設置し使用される。
【００１４】
本発明の室内機１においても、樹脂製の本体ケース２の前面と上面には、それぞれ室内空気を吸込むための吸込口３が開設され、また、本体ケース２の下部前側には、調和空気を吹出す空気吹出口４が開設されている。そして、本体ケース２の内部に設けられた送風機６の運転により、吸込口３から本体ケース２内に吸い込んだ室内空気は、熱交換器５の放熱フィンを貫通・蛇行して配管された伝熱管５Ａの内部を流れる冷媒によって加熱／冷却された後に吹出口４から室内に吹出されて、室内の空気調和を行う構成である。
【００１５】
また、前記熱交換器５の下側には、熱交換器５で結露して滴下するドレン水を溜めて排出するためのドレンパン７が設けられ、前記吸込口３と熱交換器５との間には、エアフィルタ８が設けられている。また、前記吹出口４には、この吹出口４を開閉すると共に空気の吹出方向を上下方向に変更制御する水平ルーバ９と、左右方向に変更制御する複数(８〜１２枚)の垂直ルーバ１０とが設けられ、室内へ吹出す調和空気の方向を自在に設定できるように構成している。
【００１６】
前記水平ルーバ９は、吹出口４と同等の長さに設定された１枚の横長な下側水平ルーバ９Ａと、この下側水平ルーバ９Ａの約半分の長さに設定された２枚の短い上側水平ルーバ９Ｂとからなっている。また、下側水平ルーバ９Ａは、その両端部に備える軸穴と、本体ケース２の左右両側に設けた支軸とを嵌合させることにより、回転自在に、且つ、着脱自在（支軸の出没や軸穴の開閉など、適宜な手段が採用可能である）に、吹出口４に取付けられており、そして、本体ケース２の右側部分に配置された電動モータ２９Ａによって回動制御されて、空気の吹出し角度が調節される。
【００１７】
一方、２枚の短い上側水平ルーバ９Ｂは、本体ケース２の左右両端部側において、下側水平ルーバ９Ａと同様に軸穴と支軸とで支持され、また、本体ケース２の中央部側においてはそれぞれの支軸と本体ケース２の中央部に設けられた軸受との嵌合によって回転自在に、且つ、着脱自在に支持されており、そして、本体ケース２の左右両端部分に配置された電動モータ２９Ｂによりそれぞれ個別に回動制御されて、空気の吹出し角度が調節される。
【００１８】
前記複数の垂直ルーバ１０は、図５に示した状態に支持されて、本体ケース２の吹出口４に着脱自在に装着されている。すなわち、各垂直ルーバ１０は、横長形状の取付板１１に横並びに列設された複数の支持軸１２に対し、前記垂直ルーバ１０の軸穴１０Ａが嵌合することによりその下部が取付板１１に回動可能に支持されている。
【００１９】
そして、図５に示すように、右側の４枚の垂直ルーバ１０には、右側の４本のガードワイヤ１３が、各垂直ルーバ１０の上下方向に４個設けられた横長な長孔１０Ｂ、１０Ｂにそれぞれ遊貫され、それと同様に、左側の６枚の垂直ルーバ１０には、左側の４本のガードワイヤ１３がそれぞれ遊嵌されており、前記複数の垂直ルーバ１０と複数のガードワイヤ１３とが一体化されている。なお、左右のそれぞれ４本のガードワイヤ１３における端部同士は、ワイヤ連結部材１４により連結されて一体化されている。
【００２０】
また、左右それぞれの４本のガードワイヤ１３は、取付板１１に回動不能に立設されたワイヤ支持腕１５により支持されている。また、複数の垂直ルーバ１０は１本のフラップ駆動板１６に回動自在に軸着され、そのフラップ駆動板１６の左右方向の移動操作により一斉に回動するように設けられている。
【００２１】
前記取付板１１は、左側端部にフック部材１７が添設されるとともに、右側端部には凹部１８が設けられており、また、右端の垂直ルーバ１０には、弾性変形可能とした把持部１９が形成されている。一方、本体ケース２における吹出口４を臨む左側部分には、前記フック部材１７が係止される取付板１１の外れ防止用としての頭部が膨れた係止ボス２０が立設され、かつ、本体ケース２の吹出口４を臨む右側部分にも、同様に、頭部が膨れた係止ボス２１が立設されており、更に、凸部２２が設けられた案内壁２３も形成されている。
【００２２】
なお、前記凹部１８は、取付板１１の右端部分に設けられたスリット２４の右側にこのスリット２４によって弾性変形可能に形成された変形動作部２５の中央部分に設けられている。したがって、図４(Ａ)に示すように、前記係止ボス２０にフック部材１７を係合させて、取付板１１の左側を本体ケース２に着脱自在に係止し、その状態で取付板１１の右側の凹部１８を前記案内壁２３に沿わせ、且つ、他の係止ボス２１に把持部１９を合わせて、取付板１１の右側部分を押し込むと、前記変形動作部２５は、案内壁２３の凸部２２によって押されて弾性変形し、こうして、前記凹部１８と凸部２２とが嵌合することにより、取付板１１の右側部分が本体ケース２に着脱自在に係止されると共に、把持部１９が係止ボス２１を抱え込んで、右端の垂直ルーバ１０も本体ケース２に着脱自在に取付けられる。
【００２３】
また、前記取付板１１の中央部分は、本体ケース２の吹出口４の中央部分に存在する中央部係止手段２６によって係脱可能となされるものである。
【００２４】
したがって、本発明の空気調和機の室内機１においては、複数本のガードワイヤ１３を一体的に組み付けた複数の垂直ルーバ１０が、本体ケース２の吹出口４に着脱自在に装着されるため、調和空気を吹出す吹出口４を介して、人の指や手が本体ケース２内に差し込まれて、吹出口の奥部に配された送風機６によって怪我などをすることがなく、しかも、吹出口に設けた複数の垂直ルーバ１０の着脱が簡単に行えるので、吹出口４を掃除する場合等においてその作業が簡単に行え、清潔性を維持し易いものである。
【００２５】
なお、本発明は上記実施形態に限定されるものではないので、特許請求の範囲に記載の趣旨から逸脱しない範囲で各種の変形実施が可能である。
【図面の簡単な説明】
【００２６】
【図１】本発明室内機の垂直ルーバの着脱要領を示す説明図である。
【図２】本発明室内機の前面ケースを取り除いた状態で説明図である。
【図３】本発明室内機の断面を示す説明図である。
【図４】本発明室内機の垂直ルーバの装着状態を示す説明図であり、（Ａ）は左端部分の装着状態の説明図、（Ｂ）は中央部分の装着状態の説明図、（Ｃ）は右端部分の装着状態の説明図である。
【図５】本発明室内機に装着された垂直ルーバの説明図であり、（Ａ）は全体を示す説明図、（Ｂ）は左端部分の説明図、（Ｃ）は右端部分の説明図、（Ｄ）は右端部分を下側から見た説明図である。
【図６】従来技術の説明図であり、（Ａ）は室内機の断面を示し、（Ｂ）は垂直ルーバを示す説明図である。
【図７】他の従来技術の説明図である。
【符号の説明】
【００２７】
１      室内機
２      本体ケース
３      吸込口
４      吹出口(空気吹出口)
５      熱交換器
６      送風機
９      水平ルーバ
１０      垂直ルーバ
１０Ａ    軸穴
１１      取付板
１２      支持軸
１３      ガードワイヤ
１４      ワイヤ連結部材
１５      ワイヤ支持腕
１６      フラップ駆動板
１７      フック部材
１８      凹部
１９      把持部
２０      係止ボス
２１      係止ボス
２２      凸部
２３      案内壁
２４      スリット
２５      変形動作部
２６      中央係止手段
２９Ａ    電動モータ
２９Ｂ    電動モータ
【図１】
2005265400.tif 000003
【図２】
2005265400.tif 000004
【図３】
2005265400.tif 000005
【図４】
2005265400.tif 000006
【図５】
2005265400.tif 000007
【図６】
2005265400.tif 000008
【図７】
2005265400.tif 000009